(57)【要約】【課題】この発明は、被収容物を安定した位置及び姿勢に保持することができるとともに、包装時の位置及び姿勢を保ったまま持運び及び運搬することができる被収容物包装体の提供を目的とする。【解決手段】被収容物包装体１の内装ケース１０を、左右の保持壁部１３に形成された保持孔１４が相対向する保持形態に折り曲げる際、ワインボトル型の被収容物Ａを、左右の保持壁部１３の保持孔１４に対し該被収容物Ａの軸芯を中心として左右半分ずつ嵌め込んで保持する。この後、被収容物Ａが保持された内装ケース１０を保持形態に折り曲げたまま角筒状形態に組み立てられた外装ケース２０内に収容して包装する。これにより、被収容物Ａを安定した位置及び姿勢に保持することができる。【選択図】図１
2011235924.tif 000002
【特許請求の範囲】
【請求項１】
被収容物の高さよりも長尺に形成された後面壁部と、該後面壁部の対向する縁部に対し折曲げ自在に連設された一対の側面壁部と、該各側面壁部の遊端側縁部に対し折曲げ自在に連設された左右の保持壁部とを備え、
前記保持壁部の中央面に、前記被収容物を側面から見た外観形状と対応する大きさ及び形状の保持孔を形成し、
前記保持壁部を、前記被収容物の軸芯を中心として該被収容物の半分が前記保持孔により保持される保持形態に変形可能に形成した
被収容物包装体。
【請求項２】
前記被収容物の底部下面と対向する前記保持孔の下縁部を、該被収容物の底部下面と対応する形状に形成した
請求項１に記載の被収容物包装体。
【請求項３】
前記保持孔の両側縁部間に、前記被収容物の側面と対応して該側面が保持される方向及び角度に折曲げ自在な側面保持部を連設した
請求項１又は２に記載の被収容物包装体。
【請求項４】
前記保持孔の下縁部に、前記被収容物の底部下面と対応して該底部下面が保持される方向及び角度に折曲げ自在な底部保持部を連設した
請求項１〜３のいずれか一つに記載の被収容物包装体。
【請求項５】
前記保持孔の一側縁部又は両側縁部に、前記被収容物の胴部側面と対応して該胴部側面が保持される方向及び角度に折曲げ自在な胴部保持部を連設した
請求項１〜３のいずれか一つに記載の被収容物包装体。
【請求項６】
前記被収容物包装体を、前記被収容物が保持される保持形態に折り曲げられるシート状の内装ケースで構成し、
前記内装ケースが保持形態に折り曲げられたまま収容が許容される大きさ及び形状に形成され、該内装ケースの各壁部が保持形態に折り曲げられた方向及び角度に拘束する角筒状形態に組み立てられた外装ケースを備えた
請求項１〜５のいずれか一つに記載の被収容物包装体。
【請求項７】
前記外装ケースの対向する壁部に、該外装ケースを持ち上げるための把持部材の両固定端が抜止め固定される端部固定孔を形成し、
前記外装ケースの端部固定孔と対向する前記被収容物包装体の壁部に、該端部固定孔に固定された前記固定端の挿入が許容される窓部を形成した
請求項６に記載の被収容物包装体。
【発明の詳細な説明】
【技術分野】
【０００１】
この発明は、例えば飲み物が充填された容器、或いは、化粧品、タバコ、文具、玩具、食品、刃物、調理器具、植物が植えられた植木鉢等の被収容物を包装する
際に用いられる被収容物包装体に関する。
【背景技術】
【０００２】
従来、上記被収容物を包装する包装体として、例えば既に提案済みの包装体（特許文献１参照）には、一対の物品保持具の窓開き部に貼着された伸縮フィルムを被保持物品に密着させて拘束した後、該各物品保持具の基板を接着剤で接着して保持する。この後、被保持物品を一対の物品保持具で保持したまま、断面が矩形状の外装カートン内に収納して被保持物品を宙吊り状態に包装する構成が開示されている。
【０００３】
しかし、被保持物品を保持する伸縮フィルムは伸び縮みしやすいので、被保持物品の保持位置が安定せず、持運び時或いは運搬時に付加される振動により被保持物品の位置及び姿勢が変位しやすく、包装時の位置及び姿勢を保ったまま持運び及び運搬することが困難である。
【先行技術文献】
【特許文献】
【０００４】
【特許文献１】特願２００６−３５３６２２号公報
【発明の概要】
【発明が解決しようとする課題】
【０００５】
この発明は、被収容物を安定した位置及び姿勢に保持することができるとともに、包装時の位置及び姿勢を保ったまま持運び及び運搬することができる被収容物包装体を提供することを目的とする。
【課題を解決するための手段】
【０００６】
この発明は、被収容物の高さよりも長尺に形成された後面壁部と、該後面壁部の対向する縁部に対し折曲げ自在に連設された一対の側面壁部と、該各側面壁部の遊端側縁部に対し折曲げ自在に連設された左右の保持壁部とを備え、前記保持壁部の中央面に、前記被収容物を側面から見た外観形状と対応する大きさ及び形状の保持孔を形成し、前記保持壁部を、前記被収容物の軸芯を中心として該被収容物の半分が前記保持孔により保持される保持形態に変形可能に形成した被収容物包装体であることを特徴とする。
【０００７】
すなわち、被収容物包装体の左右の保持壁部を、被収容物の軸芯を中心として、該被収容物の左右半分が保持される形状(例えば上方から見て三角形、半円形状、円弧形状等)に変形した後、左右の側面壁部を同一方向(正面方向)に向けて平行する角度に折り曲げ、左右の保持壁部の保持孔が相対向する保持形態に折り曲げる。被収容物包装体を保持形態に折り曲げる際、被収容物を、左右の保持壁部の保持孔に対し該被収容物の軸芯を中心として左右半分ずつ嵌め込んで保持する。
【０００８】
つまり、被収容物の左右半分を、該被収容物を側面から見た外観形状と対応する大きさ及び形状に形成された左右の保持壁部の保持孔に嵌め込んで保持するため、被収容物を安定した位置及び姿勢に保持することができる。
【０００９】
また、この発明の態様として、前記被収容物の底部下面と対向する前記保持孔の下縁部を、該被収容物の底部下面と対応する形状に形成することができる。  
すなわち、保持壁部の保持孔に対し被収容物を嵌め込んだ際、保持孔の下縁部が被収容物の底部下面に沿って押し付けられる。
【００１０】
これにより、保持孔の直線に形成された下縁部で被収容物の底部を保持するよりも、保持孔の下縁部と被収容物の底部下面との接する部分が長くなり、被収容物を安定した位置及び姿勢に保持することができる。
【００１１】
また、この発明の態様として、前記保持孔の両側縁部間に、前記被収容物の側面と対応して該側面が保持される方向及び角度に折曲げ自在な側面保持部を連設することができる。  
すなわち、被収容物包装体で被収容物を保持する際、側面保持部(例えば底部保持壁、口部保持壁、胴部保持壁等)を外側に向けて突出するように折り曲げて、被収容物の側面(例えば底部側面、口部側面、胴部側面等)に、該側面が保持される方向及び角度に変形された側面保持部を押し付ける。
【００１２】
これにより、保持孔の両側縁部のみで被収容物の側面を保持するよりも、被収容物の側面に対する側面保持部の接触面積が大きく、被収容物の位置及び姿勢がさらに安定するとともに、被収容物が側面保持部より外側へ変位しようとするのを防止することができる。
【００１３】
また、この発明の態様として、前記保持孔の下縁部に、前記被収容物の底部下面と対応して該底部下面が保持される方向及び角度に折曲げ自在な底部保持部を連設することができる。  
すなわち、被収容物包装体で被収容物を保持する際、底部保持部を外側に向けて突出するように折り曲げて、被収容物の底部下面に、該底部下面が保持される方向及び角度に変形された底部保持部を押し付ける。
【００１４】
これにより、保持孔の下縁部のみで被収容物の底部下面を保持するよりも、底部保持部と被収容物の底部下面との接触面積が大きく、被収容物の位置及び姿勢をさらに安定させることができる。
【００１５】
この発明の態様として、前記保持孔の一側縁部又は両側縁部に、前記被収容物の胴部側面と対応して該胴部側面が保持される方向及び角度に折曲げ自在な胴部保持部を連設することができる。  
すなわち、被収容物包装体で被収容物を保持する際、胴部保持部を外側に向けて突出するように折り曲げて、被収容物の胴部側面に、該胴部側面が保持される方向及び角度に変形された胴部保持部を押し付ける。
【００１６】
これにより、保持孔の両側縁部のみで被収容物の胴部側面を保持するよりも、被収容物の側面に対する胴部保持部の接触面積が大きく、被収容物の位置及び姿勢がさらに安定するとともに、被収容物が胴部保持部より外側へ変位しようとするのを防止することができる。
【００１７】
また、この発明の態様として、前記被収容物包装体を、前記被収容物が保持される保持形態に折り曲げられるシート状の内装ケースで構成し、前記内装ケースが保持形態に折り曲げられたまま収容が許容される大きさ及び形状に形成され、該内装ケースの各壁部が保持形態に折り曲げられた方向及び角度に拘束する角筒状形態に組み立てられた外装ケースを備えることができる。
【００１８】
すなわち、内装ケースを、被収容物が保持される保持形態に折り曲げたまま外装ケースに収容した際、該内装ケースの後面壁部及び側面壁部を外装ケースの後側壁部及び両側壁部に対し押し付けるとともに、対向する壁部を互いに面接触させて、内装ケースを保持形態に折り曲げられた状態に拘束する。
【００１９】
これにより、内装ケースによる被収容物の保持が解除される心配がなく、被収容物の保持状態を維持することができる。また、被収容物が保持された内装ケースを外装ケースから取り出した際、外装ケースによる内装ケースの拘束が解除され、該内装ケースによる被収容物の保持が解除されるので、被収容物の取り出しが簡単に行える。
【００２０】
また、この発明の態様として、前記外装ケースの対向する壁部に、該外装ケースを持ち上げるための把持部材の両固定端が抜止め固定される端部固定孔を形成し、前記外装ケースの端部固定孔と対向する前記被収容物包装体の壁部に、該端部固定孔に固定された前記固定端の挿入が許容される窓部を形成することができる。
【００２１】
すなわち、保持形態に折り曲げられた内装ケースを外装ケースに収容した際、外装ケースの吊下げ孔に抜止め固定された把持部材の固定端が内装ケースの窓部に挿入され、把持部材の固定端が内装ケースの壁部に対し押し付けられるのを回避することができる。
【００２２】
これにより、内装ケースの壁部が内側へ撓んだり変形したりすることがなく、内装ケースの壁部と外装ケースの壁部とが互いに面接触されるので、被収容物の収容状態を維持するのに必要な強度が得られる。
【００２３】
前記被収容物は、例えば飲み物が充填された容器、或いは、化粧品、タバコ、文具、玩具、食品、調理器具等で構成することができる。  
また、容器は、例えばワインボトルやビール瓶等のガラス製容器、スチール缶やアルミ缶等の金属製容器、ペットボトル等のプラスチック製容器、花瓶や植木鉢、食器等のセラミックス製容器で構成することができる。なお、飲み物は、例えば酒類、飲料水、果汁、炭酸水等で構成することができる。
【００２４】
また、被収容物包装体は、例えば立方体、長方形、三角形、四角形、多角形、丸筒形等の形状に組み立てられる筒状のケースで構成することができる。なお、被収容物包装体の大きさ及び形状は、上述の被収容物の大きさや形状、個数に応じて変更される。
【００２５】
また、被収容物包装体は、例えば生分解性プラスチック、塩化ビニル（ＰＶＣ）、ポリプロピレン（ＰＰ）、ポリエチレン（ＰＥ）、アモルファスポリエチレンテレフタレート（Ａ−ＰＥＴ）等の透明、半透明、不透明に形成されたプラスチックシート、或いは、所望する表示内容が印刷されたプラスチックシート等で構成することができる。  
また、外装ケースは、例えばプラスチック、紙、金属等の材質で形成されたシートで構成することができる。
【発明の効果】
【００２６】
この発明によれば、被収容物を安定した位置及び姿勢に保持することができるとともに、被収容物の位置や姿勢が変位することがなく、包装時の位置及び姿勢を保ったまま持運び及び運搬することができる。
【図面の簡単な説明】
【００２７】
【図１】被収容物包装体による被収容物の包装状態を示す正面斜視図。
【図２】内装ケースを保持形態に折り曲げた状態を示す正面斜視図。
【図３】内装ケースの展開状態を示す正面図。
【図４】右側保持壁部を保持形態に折り曲げた状態を示す正面斜視図。
【図５】左側保持壁部を保持形態に折り曲げた状態を示す正面斜視図。
【図６】内装ケースによる被収容物の保持状態を示す正面斜視図。
【図７】外装ケースを角筒状形態に組み立てた状態を示す正面斜視図。
【図８】外装ケースの展開状態を示す正面図。
【図９】内装ケースの他の例１を示す展開正面図。
【図１０】内装ケースの他の例２を示す展開正面図。
【図１１】内装ケースの他の例３を示す展開正面図。
【図１２】図１１の内装ケースによる被収容物の保持状態を示す正面斜視図。
【図１３】被収容物包装体による被収容物の他の包装例を示す正面斜視図。
【発明を実施するための形態】
【００２８】
この発明の一実施形態を以下図面に基づいて詳述する。  
図１は被収容物包装体１による被収容物Ａの包装状態を示す正面斜視図、図２は内装ケース１０を保持形態に折り曲げた状態を示す正面斜視図、図３は内装ケース１０の展開状態を示す正面図、図４は右側保持壁部１３を保持形態に折り曲げた状態を示す正面斜視図、図５は左側保持壁部１３を保持形態に折り曲げた状態を示す正面斜視図、図６は内装ケース１０による被収容物Ａの保持状態を示す正面斜視図、図７は外装ケース２０を角筒状形態に組み立てた状態を示す正面斜視図、図８は外装ケース２０の展開状態を示す正面図である。
【００２９】
本実施形態の被収容物包装体１は、図１に示すように、ワインボトル型を有する被収容物Ａが保持される保持形態に折り曲げられるシート状の内装ケース１０と、該内装ケース１０を被収容物Ａが保持される保持形態に折り曲げたまま長手方向に収容される角筒状に組み立てられるシート状の外装ケース２０とで構成している。  
なお、被収容物Ａは、例えばワインボトル、ビール瓶等のサイズ(容量)が大きいガラス製容器で構成している。
【００３０】
前記内装ケース１０は、図２、図３に示すように、被収容物Ａの高さよりも長尺に形成された正面から見て矩形状の後面壁部１１と、後面壁部１１の対向する両側縁部に連設された一対の側面壁部１２と、側面壁部１２の遊端側縁部に連設された該側面壁部１２より幅広の保持壁部１３とで構成している。
【００３１】
後面壁部１１と側面壁部１２の連設側縁部に沿って折り曲げられる折曲げ部分と、側面壁部１２と保持壁部１３の連設側縁部に沿って折り曲げられる折曲げ部分には、側面壁部１２及び保持壁部１３が正面方向(図４、図５の手前側)に向けて折り曲げられ、被収容物Ａが保持される方向及び角度に折り曲げが許容される折曲げ罫線２を形成している。
【００３２】
後面壁部１１の両側縁部には、後述する保持壁部１３の差込みフラップ１３ａ，１３ａが差込まれる差込み孔１１ａ，１１ａを形成している。
【００３３】
側面壁部１２の上側中央面には、後述する外装ケース２０の吊下げ孔２５と対応して台形の窓部１５を形成している。窓部１５は、外装ケース２０の吊下げ孔２５に固定された吊下げ紐２６の固定端２６ａの挿入が許容される大きさ及び形状に形成している。  
また、窓部１５の底辺側縁部には、折曲げ罫線２を介して、該窓部１５と対応する大きさ及び形状の閉塞板１５ａが開閉自在に連設されている。
【００３４】
すなわち、内装ケース１０を被収容物Ａが保持される保持形態に折り曲げたまま、図７に示す角筒状形態に組み立てられた外装ケース２０に収容した際、内装ケース１０の窓部１５と外装ケース２０の吊下げ孔２５とが互いに対向するので、吊下げ孔２５の内側へ突出させて抜止め固定した吊下げ紐２６の固定端２６ａが内装ケース１０の窓部１５に挿入される。
【００３５】
つまり、外装ケース２０の吊下げ孔２５に固定された吊下げ紐２６の固定端２６ａが内装ケース１０の側面壁部１２に対し押し付けられるのを回避することができるので、側面壁部１２が内側へ撓んだり変形したりすることがなく、内装ケース１０の側面壁部１２，１２と、外装ケース２０の右側壁部２２及び左側壁面２３とを互いに面接触させた状態を保つことができる。
【００３６】
上述の壁部１２，２２及び１２，２３を互いに面接触させることにより、内装ケース１０及び外装ケース２０が変形しにくくなり、被収容物Ａの収容状態を維持するのに必要な強度が得られる。
【００３７】
保持壁部１３の遊端側縁部には、図４、図５に示すように、後面壁部１１の差込み孔１１ａ，１１ａに対し差込まれる差込みフラップ１３ａ，１３ａを連設している。また、差込みフラップ１３ａの基端側縁部に沿って折り曲げられる折曲げ部分には、差込み孔１１ａに対し差込まれる方向及び角度に折り曲げが許容される折曲げ罫線２を差込みフラップ１３ａの基端側縁部と平行して２本形成している。
【００３８】
保持壁部１３の中央面には、被収容物Ａを側面から見た外観形状と対応する大きさ及び形状に切り欠いてなる保持孔１４を形成している。また、保持孔１４の幅方向中央部から幅方向両縁側部に至るまでの距離は、被収容物Ａの一例であるワインボトルの半径と略一致する長さに設定している。
【００３９】
保持壁部１３の幅方向中央部に沿って折り曲げられる折曲げ部分、すなわち、保持壁部１３の保持孔１４より上側中央面及び該保持孔１４より下側中央面には、被収容物Ａが保持される方向及び角度に折り曲げが許容される折曲げ罫線２を形成している。  
つまり、側面壁部１２より幅広に形成された保持壁部１３を、その幅方向中央部に形成された折曲げ罫線２に沿って該保持壁部１３の中央部が正面方向(図４、図５の手前側)に向けてＶ字状(９０度)に突出される方向及び角度に折り曲げることにより、被収容物Ａの軸芯を中心として、該被収容物Ａの左右半分を保持することが可能となる。
【００４０】
被収容物Ａの底部Ａａを保持する保持孔１４の下縁部は、被収容物Ａの底部Ａａを側面から見た外観形状と対応する横幅及び形状に形成している。  
被収容物Ａの口部Ａｂを保持する保持孔１４の上縁部は、被収容物Ａの口部Ａｂを側面から見た外観形状と対応する横幅及び形状に形成している。  
被収容物Ａの胴部Ａｃを保持する保持孔１４の下縁部から上縁部に至るまでの両側縁部は、被収容物Ａの胴部Ａｃを側面から見た外観形状と対応する横幅及び形状に形成している。
【００４１】
保持孔１４の下側対向縁部間には、被収容物Ａの底部Ａａを側面から見た外観形状と対応して該底部Ａａの側面が保持される方向及び角度に折曲げられる底部保持部１４ａを連設している。
【００４２】
保持孔１４の上側対向縁部間には、被収容物Ａの口部Ａｂを側面から見た外観形状と対応して該口部Ａｂの側面が保持される方向及び角度に折曲げられる口部保持部１４ｂを連設している。
【００４３】
底部保持部１４ａと口部保持部１４ｂの連設側縁部に沿って折り曲げられる折曲げ部分と、底部保持部１４ａと口部保持部１４ｂの幅方向中央部に沿って折り曲げられる折曲げ部分には、被収容物Ａの底部Ａａと口部Ａｂの側面が保持される方向及び角度に折り曲げが許容される折曲げ罫線２を形成している。  
また、被収容物Ａの底部Ａａの下面を保持する保持孔１４の下縁部は、被収容物Ａの曲面を有する底部Ａａの下面と対応する曲面形状に形成している。
【００４４】
すなわち、被収容物Ａを底部Ａａが下向きで、口部Ａｂが上向きとなる姿勢に保持したまま保持壁部１３の保持孔１４に嵌め込んだ際、保持孔１４の下縁部が被収容物Ａの底部Ａａの下面に沿って押し付けられる(図７参照)。
【００４５】
これにより、被収容物Ａの曲面を有する底部Ａａを保持孔１４の直線に形成された下縁部で保持するよりも、被収容物Ａの底部Ａａの下面と保持孔１４の下縁部との接する部分が長くなり、被収容物Ａを安定した位置及び姿勢に保持することができる。
【００４６】
前記外装ケース２０は、図７、図８に示すように、正面から見て矩形状に形成された後側壁部２１と、後側壁部２１の両側縁部に連設された右側壁部２２と左側壁部２３と、左側壁部２３の遊端側縁部に連設された前側壁部２４とで構成している。
【００４７】
後側壁部２１の上縁部には上蓋部２１ａを連設し、該後側壁部２１の下縁部には底蓋フラップ２１ｂを連設している。また、上蓋部２１ａの遊端側縁部には差込みプラップ２１ｃを連設している。
【００４８】
右側壁部２２の上縁部には折込みフラップ２２ａを連設し、該右側壁部２２の下縁部には折込みフラップ２２ｂを連設している。  
左側壁部２３の上縁部には折込みフラップ２３ａを連設し、該左側壁部２３の下縁部には折込みフラップ２３ｂを連設している。
【００４９】
前側壁部２４の上縁部には差込みフラップ２４ａを連設し、該前側壁部２４の下縁部には底蓋フラップ２４ｂを連設している。また、前側壁部２４の遊端側縁部には接合片２４ｃを連設している。  
差込みフラップ２１ｃの連設側中央部には、差込みフラップ２４ａが差込まれる差込み孔２１ｄを形成している。また、差込みフラップ２１ｃの基端側両側部には、折込みフラップ２２ａ，２３ａを重ね合せてなる肉厚より幅広に切り欠いてなる切欠き部２１ｅを形成している。
【００５０】
折込みフラップ２２ａ，２３ａの連設側前縁部には、前側壁部２４の左右上端に対し当接される当接部２２ｃ，２３ｃを形成している。この当接部２２ｃ，２３ｃは、角筒状に組み立てられた外装ケース２０の上面側開口部を折込みフラップ２２ａ，２３ａで閉塞した際、前側壁部２４の左右上端に当接される
つまり、折込みフラップ２２ａ，２３ａを、角筒状に組み立てられた外装ケース２０の上面側開口部と対向する方向へ折曲げて上下に重ね合わせた際、当接部２２ｃ，２３ｃが前側壁部２４の左右上端に当接される。これにより、折込みフラップ２２ａ，２３ａが外装ケース２０の内側へ押し込まれるのを防止することができる。
【００５１】
底蓋フラップ２１ｂの斜辺には折曲げ片２１ｆを連設し、折込みフラップ２３ｂの斜辺には折曲げ片２３ｆを連設している。  
また、底蓋フラップ２１ｂと折曲げ片２１ｆの連設側縁部に沿って折り曲げられる折曲げ部分と、折込みフラップ２３ｂと折曲げ片２３ｆの連設側縁部に沿って折り曲げられる折曲げ部分には、外装ケース２０の内部に向けて折り曲げが許容される折曲げ罫線２を形成している。
【００５２】
右側壁部２２及び左側壁部２３には、吊下げ紐２６の左右固定端２６ａが抜止め固定される吊下げ孔２５を形成している。つまり、吊下げ紐２６の左右固定端２６ａを右側壁部２２及び左側壁部２３の吊下げ孔２５に対し外側から挿通して抜止め固定する。
【００５３】
なお、上述の折曲げ罫線２を内装ケース１０及び外装ケース２０の各折曲げ部分に形成する場合、例えば内装ケース１０及び外装ケース２０を平面展開してなる大きさ及び形状に、約０．３ｍｍの厚さを有する透明又は半透明のプラスチックシートを型抜きする際に形成する(図３、図９参照)。
【００５４】
また、折曲げ罫線２は、図示しない罫線刃により長手方向から見てＶ字状に１条形成しているが、各折曲げ部分に沿って複数条平行に形成してもよい。また、プラスチックシートを型抜きしてから形成してもよい。
【００５５】
上述の被収容物Ａが保持される保持形態に折り曲げられた内装ケース１０を外装ケース２０に収容する場合、予め外装ケース２０を角筒状形態に組み立てておく必要がある。
【００５６】
先ず、後側壁部２１と、右側壁部２２と、左側壁部２３と、前側壁部２４と、接合片２４ｃとを折曲げ罫線２に沿って内側へ折り曲げるとともに、右側壁部２２の遊端側縁部に対し前側壁部２４の接合片２４ｃを重ね合せて接着剤で接着固定する。  
これにより、外装ケース２０を上面側及び下面側が開口された筒状に組み立てることができる。
【００５７】
次に、底蓋フラップ２１ｂの折曲げ片２１ｆに折込みフラップ２２ｂを重ね合せて接着剤で接着固定し、折込みフラップ２３ｂの折曲げ片２３ｆに底蓋フラップ２４ｂを重ね合せて接着剤で接着固定する。
【００５８】
次に、外装ケース２０を扁平形態に折り畳む場合、外装ケース２０を扁平状態に折り畳み変形させながら、底蓋フラップ２１ｂ及び折曲げ片２１ｆと、折込みフラップ２３ｂ及び折曲げ片２３ｆを折曲げ罫線２に沿って内側へ折り曲げ、扁平状態に折り畳まれる外装ケース２０の下面側開口部内に収容する。  
これにより、外装ケース２０を扁平形態に折り畳むことができる。
【００５９】
次に、外装ケース２０を角筒状形態に組み立てる場合、外装ケース２０を扁平状態から角筒状態に変形させながら、外装ケース２０の下面側開口部内に折り畳み収容された底蓋フラップ２１ｂ及び折込みフラップ２２ｂと、折込みフラップ２３ｂ及び底蓋フラップ２４ｂとを外側へ押し出して、底蓋フラップ２１ｂと底蓋フラップ２４ｂとを互いに係止する。  
これにより、外装ケース２０の下面側開口部が閉塞され、上面側開口部のみが開口された角筒状形態に組み立てることができる。
【００６０】
上述した被収容物包装体１によりワインボトル型の被収容物Ａを包装する包装方法を説明する。  
先ず、内装ケース１０の左右の保持壁部１３を、該保持壁部１３の中央部が正面方向(図４、図５の手前側)に向けてＶ字状に突出される方向及び角度に折り曲げる。
【００６１】
また、底部保持部１４ａ及び口部保持部１４ｂを外側に向けてＶ字状に突出するように折り曲げて、被収容物Ａの底部Ａａ及び口部Ａｂの側面が保持される方向及び角度に変形した後、保持壁部１３の差込みフラップ１３ａ，１３ａを後面壁部１１の差込み孔１１ａ，１１ａにそれぞれ差込み固定する。
【００６２】
これにより、左右の保持壁部１３を、被収容物Ａの軸芯を中心として、該被収容物Ａの左右半分がそれぞれ保持される方向及び角度に折り曲げた状態に固定することができる(図４、図５参照)。
【００６３】
次に、左右の側面壁部１２を正面方向(図２の手前側)に向けて平行する角度に折り曲げ、左右の保持壁部１３のＶ字状に折り曲げられた中央角部を互いに当接又は近接するとともに、該保持壁部１３の保持孔１４が相対向する保持形態に折り曲げる(図２参照)。
【００６４】
内装ケース１０を保持形態に折り曲げる際、左右の保持壁部１３に形成された保持孔１４に対し、被収容物Ａを口部Ａｂが上向きとなる姿勢に保持しまま左右半分ずつ嵌め込む。
【００６５】
被収容物Ａを保持壁部１３の保持孔１４に嵌め込んだ際、被収容物Ａの底部Ａａ、口部Ａｂ、胴部Ａｃの側面に沿って保持孔１４の内側縁部が押し付けられる。  
つまり、保持孔１４の内側縁部は、被収容物Ａの底部Ａａ、口部Ａｂ、胴部Ａｃの周面に対し、該被収容物Ａの軸芯を中心として上方から見てＸ字状に押し付けられる。
【００６６】
また、被収容物Ａの底部Ａａ及び口部Ａｂの左右側面に対し、保持壁部１３の底部保持部１４ａ及び口部保持部１４ｂがそれぞれ押し付けられ、底部保持部１４ａ及び口部保持部１４ｂの復元力によって保持される。  
また、保持孔１４の下縁部が被収容物Ａの底部Ａａの下面に沿って押し付けられるので、被収容物Ａを安定した位置及び姿勢に保持することができる(図７参照)。
【００６７】
次に、被収容物Ａが保持された内装ケース１０を、予め図７に示す角筒状形態に組み立てられた外装ケース２０内に対し該外装ケース２０の上面側開口部から長手方向に収容する。
【００６８】
内装ケース１０を保持形態に折り曲げたまま外装ケース２０内に収容した後、右側壁部２２の折込みフラップ２２ａ及び左側壁部２３の折込みフラップ２３ａを、外装ケース２０の上面側開口部が閉塞される方向へ折り曲げて上下に重ね合わせるとともに、折込みフラップ２２ａ，２３ａの当接部２２ｃ，２３ｃを前側壁部２４の左右上端に当接する。
【００６９】
次に、上蓋部２１ａを、外装ケース２０の上面側開口部が閉塞される方向へ折り曲げて折込みフラップ２２ａ，２３ａの上面に重ね合せるとともに、上蓋部２１ａの差込みフラップ２１ｃを前側壁部２４と折込みフラップ２２ａ，２３ａとの隙間に上方から差し込む。
【００７０】
この後、前側壁部２４の差込みフラップ２４ａを差込みフラップ２１ｃの差込み孔２１ｄに前方から差込んで、外装ケース２０の上面側開口部を閉塞すれば、被収容物包装体１による被収容物Ａの包装が完了する。
【００７１】
以上のように、内装ケース１０を保持形態に折り曲げる際、ワインボトル型の被収容物Ａを、左右の保持壁部１３の保持孔１４に対し該被収容物Ａの軸芯を中心として左右半分ずつ嵌め込んで保持する。この後、被収容物Ａが保持された内装ケース１０を保持形態に折り曲げたまま外装ケース２０内に収容して包装する。
【００７２】
つまり、左右の保持壁部１３の保持孔１４の内側縁部が被収容物Ａの底部Ａａ、口部Ａｂ、胴部Ａｃの外周面に対し上方から見てＸ字状に押し付けられるので、持運び時或いは運搬時において、内装ケース１０により保持した被収容物Ａに振動や衝撃が付加されても、被収容物Ａがガタ付きにくく、被収容物Ａの位置や姿勢が変位することがなく、包装時の位置及び姿勢を保ったまま持運び及び運搬することができる。
【００７３】
また、被収容物Ａが包装された内装ケース１０或いは内装ケース１０が収容された外装ケース２０を落すか衝突させる等しても、その時に付加される衝撃が内装ケース１０及び外装ケース２０の変形によって吸収・緩和されるため、被収容物Ａに対し衝撃が直接付加されることがなく、被収容物Ａが破損又は損傷するのを防止することができる。
【００７４】
また、保持形態に折り曲げられた内装ケース１０を、角筒状形態に組み立てられた外装ケース２０に収容した際、内装ケース１０の後面壁部１１及び側面壁部１２が、角筒状形態に組み立てられた外装ケース２０の後側壁部２１及び右側壁部２２及び左側壁部２３に対し押し付けられるとともに、対向する壁部が互いに面接触されるので、内装ケース１０の側面壁部１２及び保持壁部１３を保持形態に折り曲げられた方向及び角度に拘束することができる。
【００７５】
これにより、外装ケース２０に収容している間は、内装ケース１０による被収容物Ａの保持が解除される心配がなく、被収容物Ａの保持状態を維持することができる。また、被収容物Ａが保持された内装ケース１０を外装ケース２０から取り出した際、外装ケース２０による内装ケース１０の拘束が解除され、内装ケース１０による被収容物Ａの保持が解除されるので、被収容物Ａの取り出しが簡単に行える。
【００７６】
図９は、保持孔１４の両側縁部に被収容物Ａの胴部Ａｃが保持される胴部保持部１４ｃをそれぞれ連設し、該保持孔１４の下縁部に被収容物Ａの底部Ａａの下面が保持される底部保持部１４ｄを連設した内装ケース１０の他の例１を示す展開正面図である。
【００７７】
本例１の内装ケース１０は、胴部保持部１４ｃと底部保持部１４ｄの連設側縁部に沿って折り曲げられる折曲げ部分と、底部保持部１４ｄの幅方向中央部に沿って折り曲げられる折曲げ部分には、被収容物Ａの底部Ａａと胴部Ａｃが保持される方向及び角度に折り曲げが許容される折曲げ罫線２を形成している。
【００７８】
つまり、内装ケース１０で被収容物Ａを保持する際、左右の胴部保持部１４ｃを外側に向けて突出するように折り曲げて、被収容物Ａの胴部Ａｃの側面が保持される方向及び角度に変形する。
【００７９】
また、底部保持部１４ｄを外側に向けて突出するように折り曲げて、被収容物Ａの底部Ａａの下面が保持される方向及び角度に変形した後、胴部保持部１４ｃを保持孔１４に嵌め込まれる被収容物Ａの胴部Ａｃの側面に押し付け、底部保持部１４ｄを保持孔１４に嵌め込まれる被収容物Ａの底部Ａａの下面に押し付ける。
【００８０】
これにより、保持孔１４の両側縁部のみで被収容物Ａの胴部Ａｃを保持したり、保持孔１４の下縁部のみで被収容物Ａの底部Ａａの下面を保持するよりも、被収容物Ａの胴部Ａｃに対する胴部保持部１４ｃの接触面積と、底部Ａａに対する底部保持部１４ｄの接触面積とが大きく、被収容物Ａの位置及び姿勢がさらに安定するので、被収容物Ａが胴部保持部１４ｃより外側へ変位しようとするのを防止することができる。なお、胴部保持部１４ｃを、保持孔１４の一側縁部に連設してもよい。
【００８１】
図１０は、保持孔１４の両側縁部間に被収容物Ａの胴部Ａｃが保持される一つの胴部保持部１４ｅを連設した内装ケース１０の他の例２を示す展開正面図である。
【００８２】
本例２の内装ケース１０は、胴部保持部１４ｅの連設側縁部と幅方向中央部に沿って折り曲げられる折曲げ部分には、被収容物Ａの胴部Ａｃが保持される方向及び角度に折り曲げが許容される折曲げ罫線２を形成している。
【００８３】
つまり、内装ケース１０で被収容物Ａを保持する際、胴部保持部１４ｅを外側に向けて突出するように折り曲げて、被収容物Ａの胴部Ａｃが保持される方向及び角度に変形した後、胴部保持部１４ｅを保持孔１４に嵌め込まれる被収容物Ａの胴部Ａｃの側面に押し付ける。
【００８４】
これにより、２枚の胴部保持部１４ｃで被収容物Ａの胴部Ａｃを保持するよりも、被収容物Ａの胴部Ａｃに対する胴部保持部１４ｅの接触面積が大きく、被収容物Ａの位置及び姿勢がさらに安定するとともに、被収容物Ａが胴部保持部１４ｅよりも外側へ変位しようとするのを防止することができる。
【００８５】
図１１は、前記被収容物Ａよりもサイズが小さい２つの被収容物Ｂを、保持壁部１３に形成された上下の保持孔１４にそれぞれ嵌め込んで保持する内装ケース１０の他の例３を示す展開正面図、図１２は図１１の内装ケース１０による被収容物Ｂの保持状態を示す正面斜視図である。
【００８６】
本例３の内装ケース１０は、保持壁部１３の上側中央面及び下側中央面に、被収容物Ｂを側面から見た外観形状と対応して同一の大きさ及び形状の保持孔１４を同一方向に向けて形成している。なお、被収容物Ｂは、前記被収容物Ｂに対し１／２以下のサイズ(容量)に形成されている。
【００８７】
すなわち、内装ケース１０を保持形態に折り曲げて、左右の保持壁部１３に形成された上下の保持孔１４に対し被収容物Ｂを左右半分ずつ嵌め込んで保持する。  
これにより、被収容物Ａよりもサイズが小さい被収容物Ｂを上下に保持することができるので、前記実施形態と略同等の作用及び効果を奏することができる。  
また、２つの被収容物Ｂを一括して包装するので、運搬効率が向上するとともに、包装コストの低減を図ることができる。
【００８８】
なお、内装ケース１０の保持壁部１３及び保持孔１４を、２つの被収容物Ａの保持が許容される大きさ及び形状に形成すれば、被収容物Ｂよりもサイズが大きい被収容物Ａを上下に保持することができる。  
図１１中のＢａは底部、Ｂｂは口部、Ｂｃは胴部である。
【００８９】
図１３は、被収容物Ａが保持された２つの内装ケース１０を一つの外装ケース２０に対し並列に収容する被収容物包装体１の他の包装例を示す正面斜視図である。
【００９０】
本包装例の被収容物包装体１は、２つの内装ケース１０を、被収容物Ａが保持される保持形態に折り曲げたまま、該被収容物包装体の収容が許容される大きさ及び形状に形成された上方から見て横長形状の外装ケース２０に対し並列に収容する。
【００９１】
すなわち、２つの内装ケース１０の後面壁部１１を外装ケース２０の後側壁部２１に面接触させ、隣り合う内装ケース１０の一方の対向する側面壁部１２を互いに面接触させ、該内装ケース１０の他方の側面壁部１２を外装ケース２０の右側壁部２２と左側壁部２３に面接触させて、２つの内装ケース１０を外装ケース２０により保持形態に折り曲げられた状態に拘束する。
【００９２】
これにより、２つの内装ケース１０に保持された被収容物Ａの位置や姿勢が変位することがなく、包装時の位置及び姿勢を保ったまま一括して持運び及び運搬することができるので、前記実施形態と略同等の作用及び効果を奏することができる。
【００９３】
なお、外装ケース２０の大きさ及び形状を、被収容物Ａが保持された内装ケース１０の収容数に対応して変更してもよい。  
また、被収容物Ｂが上下に保持された２つの内装ケース１０を一つの外装ケース２０に対し並列に収容することもできる。
【００９４】
この発明の構成と、前記実施形態との対応において、  
この発明の把持部材は、実施形態の吊下げ紐２６に対応し、  
以下同様に、  
側面保持部は、底部保持部１４ａと、口部保持部１４ｂと、胴部保持部１４ｅに対応するも、  
この発明は、上述の実施形態の構成のみに限定されるものではなく、請求項に示される技術思想に基づいて応用することができ、多くの実施の形態を得ることができる。
【００９５】
例えば被収容物Ａが保持された内装ケース１０の側面壁部１２，１２の開放側対向縁部を粘着テープで固定して保持形態に折り曲げられた状態を維持する。或いは、被収容物Ａが保持された内装ケース１０の外面に、例えば紐、フィルム等を巻き付けて保持形態に折り曲げられた状態を維持してもよい。
【００９６】
また、例えば上方から見て半円形状、円弧形状等に湾曲された保持壁部１３の保持孔１４に被収容物Ａを左右半分ずつ嵌め込んで保持してもよい。  
また、保持孔１４は、例えば化粧品、薬液、或いは、花や樹木等の植物が植えられた植木鉢、容器、商品等の被収容物Ａの大きさ及び形状に応じて変更してもよい。  
また、接着剤に代わる固定方法として、例えば熱溶着装置、超音波溶接装置等で溶着固定してもよい。
【符号の説明】
【００９７】
Ａ，Ｂ…被収容物
Ａａ，Ｂａ…底部
Ａｂ，Ｂｂ…口部
Ａｃ，Ｂｃ…胴部
１…被収容物包装体
２…折曲げ罫線
１０…内装ケース
１１…後面壁部
１１ａ…差込み孔
１２…側面壁部
１３…保持壁部
１３ａ…差込みフラップ
１４…保持孔
１４ａ，１４ｄ…底部保持部
１４ｂ…口部保持部
１４ｃ，１４ｅ…胴部保持部
２０…外装ケース
２１…後側壁部
２２…右側壁部
２３…左側壁部
２４…前側壁部
２５…吊下げ孔
２６…吊下げ紐
【図１】
2011235924.tif 000003
【図２】
2011235924.tif 000004
【図３】
2011235924.tif 000005
【図４】
2011235924.tif 000006
【図５】
2011235924.tif 000007
【図６】
2011235924.tif 000008
【図７】
2011235924.tif 000009
【図８】
2011235924.tif 000010
【図９】
2011235924.tif 000011
【図１０】
2011235924.tif 000012
【図１１】
2011235924.tif 000013
【図１２】
2011235924.tif 000014
【図１３】
2011235924.tif 000015
【手続補正書】
【提出日】平成22年5月27日(2010.5.27)
【手続補正１】
【補正対象書類名】明細書
【補正対象項目名】０００４
【補正方法】変更
【補正の内容】
【０００４】
【特許文献１】特開２００８−１７９４１３号公報